(57)【特許請求の範囲】
【請求項１】
外周上方に形成され且つ上部が係合縁となる環状溝を有する胴と、前記環状溝内に外嵌され、内周面に前記係合縁に係合する複数の内方突出部を有し、且つ外周面に複数の外方突出部を有する第１のリングと、該第１のリングに外嵌され、前記外方突出部に係合する係合部を有する第２のリングと、からなる腕時計用ベゼルにおいて、
前記第１のリングは前記胴を周回する第１リング部と、該第１リング部の外周の一部より外方及び上方に突出する複数の壁部とを備え、前記第２のリングは前記胴を周回する第２リング部と、該第２リング部の外周の一部より前記第１のリングに形成された前記壁部に対応する位置にて外方に突出する腕部を備え、該腕部が前記第１のリングに形成された前記壁部の間に嵌まり、且つ前記第２のリング部は前記第１のリングの前記第１リング部の上に、前記第２リング部を被せるように外嵌して一体化されていることを特徴とする腕時計のベゼル構造。
【請求項２】
前記第１のリングが合成樹脂で形成され、前記第２のリングが金属で形成されていることを特徴とする請求項１記載の腕時計のベゼル構造。
【発明の詳細な説明】
【０００１】
【発明の属する技術分野】
本発明は時計のベゼル構造に関するものであり、特に異なる材質からなる２つのリングを組み合わせたベゼルの構造に関する。
【０００２】
【従来の技術】
従来より胴の上方外周に取り付けられるリング状のベゼルは、ガラスの固定力を高めたり、表面に刻印された指標等により特定の時刻等を表示するために用いられていた。また、特に近年、ベゼルのデザイン性が重視され、各種の装飾が施されたベゼルが取り付けられるに至っている。
【０００３】
一般にベゼルは、胴の上方外周に接着、ロー付等で固定されるか、又は回転可能なように胴とベゼルとの間に弾性を有するパッキンやリングバネ等を介在させて圧入することにより取り付けられていた。
【０００４】
【発明が解決しようとする課題】
従来のベゼルにおいて、接着、ロー付等で胴に固定する場合には、胴とベゼルが同質の金属であることが好ましく材質が限定され、また、圧入により固定する場合には、パッキンやリングバネも組み込むことが必要であったため組立に手間がかかるという課題があった。
【０００５】
また、通常、ベゼルは金属等の単体で構成されており、その表面に刻印やメッキが施されて装飾性を高めていたが、形状や構造が画一化されていたため、更にデザインの向上を図ることは困難であった。
【０００６】
更にまた、従来の胴に固定された固定ベゼルと回転可能な回転ベゼルとでは、その取付構造が全く異なっていたので、それぞれ別個の製造工程を経て、製造・組立が行われており、量産性を低下させる原因となっていた。
【０００７】
本発明は、上記従来の課題に鑑みなされたもので、その目的は、組立が容易で、デザインの向上も図ることができ、更に簡単に固定ベゼルを回転ベゼルに変更することが可能な時計のベゼル構造を提供することにある。
【０００８】
【課題を解決するための手段】
本発明の時計のベゼル構造は、外周上方に形成され且つ上部が係合縁となる環状溝を有する胴と、前記環状溝内に外嵌され、内周面に前記係合縁に係合する複数の内方突出部を有し、且つ外周面に複数の外方突出部を有する第１のリングと、該第１のリングに外嵌され、前記外方突出部に係合する係合部を有する第２のリングと、からなる腕時計用ベゼルにおいて、前記第１のリングは前記胴を周回する第１リング部と、該第１リング部の外周の一部より外方及び上方に突出する複数の壁部とを備え、前記第２のリングは前記胴を周回する第２リング部と、該第２リング部の外周の一部より前記第１のリングに形成された前記壁部に対応する位置にて外方に突出する腕部を備え、該腕部が前記第１のリングに形成された前記壁部の間に嵌まり、且つ前記第２のリング部は前記第１のリングの前記第１リング部の上に、前記第２リング部を被せるように外嵌して一体化されていることを特徴とする。
また、前記第１のリングが合成樹脂で形成され、前記第２のリングが金属で形成されていることを特徴とする。
【０００９】
【発明の実施の形態】
本発明の時計のベゼル構造においては、ベゼルを第１のリングと第２のリングで構成し、第１のリングを胴の環状溝に外嵌させ、更にこの第１のリングに第２のリングを外嵌させている。第１のリングはその内方突出部が環状溝の係合縁に係合することにより抜け止めされており、また第２のリングはその係合部が第１のリングの外方突出部に係合することにより第１のリングに一体化されている。このため、胴に外嵌される第１のリングを合成樹脂で形成し、第１のリングに外嵌される第２のリングを金属で形成することができ、このように形成すると、第１及び第２のリングをパッキン等を用いることなく直接かつ容易に圧入することができ、更に第１のリングによりベゼルを円滑に回転することができるようになる。また、このように異なる材質の第１及び第２のリングを用いることにより、デザインの向上を図ることもできる。
【００１０】
更に、胴の環状溝と第１のリングにそれぞれ凹部と凸部を形成し、これを嵌合させると固定ベゼルとなり、組立時等に凸部を除去することにより回転ベゼルとすることもできる。このため、固定ベゼルと回転ベゼルの基本構造及び組立工程をほぼ全て同じくすることができ、量産性を大幅に向上させることが可能である。
【００１１】
【実施例】
図１乃至図３は本発明の一実施例に係る時計のベゼル構造を示す断面図であり、それぞれ図４に示すベゼル構造のＡ−Ａ、Ｂ−Ｂ及びＣ−Ｃ部分の断面形状を示している。
【００１２】
２は内部に時計機械体が収納される胴であり、その外周上方には外方が開口する環状溝４が形成されている。この環状溝４の上部には後述する第１のリングが係合する係合縁４ａが設けられている。また、この環状溝４の下には周状の段部６が設けられている。この段部６には、図３に示すように、一箇所あるいは数箇所に凹部８が形成されている。
【００１３】
１０はベゼルであり、本実施例においてはプラスチック等の合成樹脂からなる第１のリング１２と、亜鉛、ステンレス等の金属からなる第２のリング１４により構成されている。
【００１４】
第１のリング１２は、図６及び図７にも示すように、リング部１２ａと、このリング部１２ａの外周の一部より外方及び上方に突出する複数の壁部１２ｂを有している。この壁部１２ｂの間のリング部１２ａの内周面には、下方が案内斜面となり上方に水平面が設けられたフック状の内方突出部１２ｃが一周上少なくとも３箇所にバランスの取れた位置に形成されている。また、この内方突出部１２ｃに相対するリング部１２ａの外周面には、上方が案内斜面となり下方に水平面が設けられたフック状の外方突出部１２ｄが形成されている。更に、リング部１２ａには、内方突出部１２ｃと外方突出部１２ｄとの間に、これらに沿って形成された空洞部からなるスリットダンパー１２ｅが設けられている。
また、壁部１２ｂで厚さが増している部分のリング部１２ａの下面には、胴２の凹部８に適合する凸部１２ｆが設けられている。
【００１５】
一方、第２のリング１４は、リング部１４ａと、前述した第１のリング１２の外方突出部１２ｄに対応するリング部１４ａの外周の一部より外方に突出する腕部１４ｂと、この腕部１４ｂの下端が内方に屈曲することにより形成される係合部１４ｃと、を有する。
【００１６】
次に、上記構成からなるベゼル構造の係合状態を説明する。第１のリング１２は、胴２の上方よりはめ込まれて環状溝４内に外嵌されている。このように外嵌されるときに、第１のリング１２の内方突出部１２ｃは環状溝４の係合縁４ａに係合して抜け止めされる。また、本実施例においては、環状溝４に外嵌された第１のリング１２は、そのリング部１２ａの下面が胴２の段部６上に載置されており、その凸部１２ｆが凹部８に嵌合している。
【００１７】
また、第２のリング１４は、第１のリング１２のリング部１２ａの上にリング部１４ａを被せるように外嵌するものであり、その腕部１４ｂが第１のリング１２の壁部１２ｂの間に嵌まり、更にその係合部１４ｃが第１のリング１２の外方突出部１２ｄに係合して第１のリング部１２に一体化されている。
【００１８】
上記のような係合状態において、第１のリング１２の凸部１２ｆと胴２の凹部８とが嵌合しているため、第１のリング１２は回転可能な状態で胴２に取り付けられているものの回転することはできず、固定された状態になっている。このため、第１のリング１２に一体化される第２のリング１４も回転することなく固定される。
【００１９】
一方、組立時等に第１のリング１２の凸部１２ｆを除去した場合には、第１のリング１２は胴２の環状溝４内に回転可能な状態で外嵌されることになる。従って、この第１のリング１２及びこれに一体化される第２のリング１４は回転可能となり、回転ベゼルを形成することになる。そしてこの場合、胴２と第１のリング１２とは、一周上少なくとも３箇所バランスの取れた位置で係合しているため、その回転においては円滑な回転が確保される。
【００２０】
この第１のリング１２と第２のリング１４は、同じ材質のものであっても良いが、本実施例のように第１のリング１２を合成樹脂で形成し、第２のリング１４を金属で形成することにより、胴２と第１のリング１２との間の摩擦を減少させ、円滑に第１のリング１２及び第２のリング１４を回転させることが可能になると共に、外観上の高級感を出すこともできる。また、胴２に第１のリング１２を組み付けたり、第１のリング１２に第２のリング１４を組み付ける際にも、第１のリング１２が弾性を有するものであれば、その組み付けが容易になり、作業性の向上を図ることが可能となる。尚、本実施例においては、第１のリング１２にスリットダンパー１２ｅを設けているため、第１のリング１２の材質による弾性だけでなく、組立時に最も応力が加わる内方突出部１２ｃと外方突出部１２ｄが弾性変形し易い構造となっており、嵌合又は係合部分の破損を防ぎ、組立易い構造となっている。
【００２１】
また、本実施例のベゼルは、第１のリング１２にはその壁部１２ｂの一部に数字、マーク等が形成され、同様に金属からなる第２のリング１４の上面にも数字、マーク等が形成されて一つのデザインが構成されている。このように二対の部品によってデザイン形成することによってデザインの向上及びバリエーションの拡張が図れる。
【００２２】
【発明の効果】
本発明によれば、ベゼルを第１及び第２のリングで構成しているので、第１のリングを合成樹脂、第２のリングを金属で形成することにより組立が容易になり、しかも外観を金属又は金属と合成樹脂の組み合わせにする等、構造を変えることなくデザインのバリエーションを増やしてデザインの向上を図ることができる。
【００２３】
また、胴に直接外嵌される第１のリングを合成樹脂で形成することにより、胴に対して第１のリングを円滑に回転させることができ、パッキンやバネ等を介在させる必要がなくなり、更に、ベゼルを第１及び第２のリングで構成したことにより、第１及び第２のリングをそれぞれ形成し易い形状にすることができ、製造コストを低減することができる。
【００２４】
更に、第１のリングに設けた凸部を除去するだけで固定ベゼルを回転ベゼルにすることができるので、固定ベゼルと回転ベゼルを別々に製造・組立する必要がなくなり、量産性を大幅に向上させることができる。
【図面の簡単な説明】
【図１】本発明の一実施例に係る時計のベゼル構造の断面を示す、図４のＡ−Ａ断面図である。
【図２】図１に示す時計のベゼル構造の断面を示す、図４のＢ−Ｂ断面図である。
【図３】図１に示す時計のベゼル構造の断面を示す、図４のＣ−Ｃ断面図である。
【図４】図１に示す時計のベゼル構造の平面図である。
【図５】図４に示す時計のベゼル構造の側面図である。
【図６】図１に示す第１のリングの平面図である。
【図７】図６に示す第１のリングの側面図である。
【符号の説明】
２          胴
４          環状溝
４ａ        係合縁
６          段部
８          凹部
１０        ベゼル
１２        第１のリング
１２ａ      リング部
１２ｂ      壁部
１２ｃ      内方突出部
１２ｄ      外方突出部
１２ｅ      スリットダンパー
１２ｆ      凸部
１４        第２のリング
１４ａ      リング部
１４ｂ      腕部
１４ｃ      係合部
【図１】
0003546907.tif 000002
【図２】
0003546907.tif 000003
【図３】
0003546907.tif 000004
【図４】
0003546907.tif 000005
【図５】
0003546907.tif 000006
【図６】
0003546907.tif 000007
【図７】
0003546907.tif 000008